(57)【要約】【課題】雨天に雨合羽を着用して困ることは、顔面にフードが垂れ下がって前方視界が妨げられることである。顔面透明フードが開発されているが、雨水が付着すると直ぐ不透明になってしまう。自転車バイク用ヘルメットを着用した上に、雨合羽を着用すれば、前方視界は良く見えるが、ヘルメット帽子つばが不透明の為、頭上視野が妨げられ交通信号灯、道路標識等が雨の中、上を向かないと見えにくい欠陥があった。【解決手段】日光を遮断し、しかも外部景色が格子隙間から大きく透明で見える、ブラインド独特の構造を応用して、新しく、ブラインド形格子つば付雨合羽を開発した。ブラインド形格子つば付雨合羽を着用すると、頭上視野が広く透明で見えるため、交通信号灯、道路標識等が雨の中、上を向かず安全確認ができるものである。また高層ビル建築クレーン作業の安全と安全監視等が容易にできるものである。【選択図】図２
2017214688.tif 000002
【特許請求の範囲】
【請求項１】
三日月形樹脂帽子つば（１）に、ブラインド加工用切込み線（２）ブラインド加工用折曲げ線（３）を介して加工施した、ブラインド形格子付つば（４）を、雨合羽フード顔面上部  （５）  に接着した構造の、ブラインド形格子つば付雨合羽本体（６）を構成して、使用時、ブラインド格子つば隙間（７）から前方視野が頭上まで拡大して見えることに、交通信号灯、道路標識等が視野範囲拡大（８）で雨の中、上を向かず容易に確認でき、また暴風時にはフード結束バンド（９）を介してフードの固定ができることを特徴とした、ブラインド形格子つば付雨合羽。
【発明の詳細な説明】
【技術分野】
【０００１】使用実績の長い雨合羽であるが，使用時頭部フードが顔面に垂れ下がる欠陥が未だ解決されていない。フード顔面部を透明樹脂加工した製品も開発されているが雨が付着すると直ぐ不透明になる欠陥がある。帽子又はヘルメットを着用するとフードの垂れ下がり防止でき、前方視界は良く見えるが、ヘルメット着用の場合、帽子つばが頭上視野を遮断する為、交通信号灯、道路標識等が見えにくい欠陥がある。本発明ブラインド形格子つば付雨合羽を着用すると、ブラインド格子つば隙間から、頭上視野が広く見える、新しい、ブラインド形格子つば付雨合羽を開発したものである。
【背景技術】
【０００２】雨合羽使用者は多く、雨の日は世界中の子供から大人まで、大勢が着用している。最近、自転車用、バイク用、屋外作業用等の特殊雨合羽も開発されているが、課題は顔面部フードの垂れ下がりによる視界妨げ欠陥である。フード顔面部を透明樹脂加工しても、雨水が付着すると視界は直ぐ不透明になる欠陥がある。各雨合羽製造メーカでは、交通安全の為、ヘルメット着用を推薦しているが、実はヘルメットを着用すると、ヘルメット帽子つばが頭上視野を遮断する欠陥が指摘されている。
【先行技術文献】
【特許文献】
【０００３】
【特許文献１】実用新案登録第３０７８７８８号  ［考案の名称］視界満足な雨合羽
【特許文献２】特開２００３−１１５６０５  ［発明の名称］ポンチョ式雨具
【特許文献３】特開２００６−２１４０６７  ［発明の名称］一体型ポンチョ式雨具
【発明の概要】
【発明が解決しようとする課題】
【０００４】雨合羽、ポンチョ式雨具等の商品は数多くあるが、使用時頭部フードの顔面垂れ下がり欠陥は、どの商品も解決されていない。顔面透明のフードが開発されているが、雨水が付着すると、ワイパーでもつけないかぎり直ぐ見えなくなる。ヘルメット、帽子等を冠った上から、雨合羽を着用するとフードの垂れ下がりは解決するがヘルメット帽子つばが不透明のため、頭上視野が遮断されて、交通信号灯、道路標識等が見えにくい欠陥がある。本発明はこの交通安全問題を考慮して、ブラインド格子つばの隙間から、外部視野が広く透明で見えることを応用して、新しく、ブラインド形格子つば付雨合羽を開発行ったものである。
【課題を解決するための手段】
【０００５】窓に吊り下げたブラインドの格子隙間から、外部風景が広く透明で見える技術を応用して、新しくブラインド形格子つば付雨合羽を開発した。従来雨合羽を着用すると、頭部フードが顔面に垂れ下がることから、前方視界が妨げられて使用が困難であった。フード顔面を透明樹脂加工しても、雨水が付着すると直ぐ不透明になってしまう。先に帽子又はヘルメットを着用して、その上から雨合羽を着用すると、前方視界は問題なく良好であるが、ヘルメット帽子つばが不透明のため、頭上視野が遮断されて、交通信号灯、道路標識等の確認が、雨の中、上を向かないと確認できない欠陥がある。三日月形樹脂帽子つばに、ブラインド加工用切込み線、ブラインド加工用折り曲げ線を介して、ブラインド形格子つばを形成したものを、雨合羽フード顔面上部に接着した構造の、ブラインド形格子つば付雨合羽  本体を構成して、使用時ブラインド格子の隙間から頭上視野が広く、しかも透明に見えることができたものである。
【発明の効果】
【０００６】従来の雨合羽を着用すると、頭部フードが顔面に垂れ下がり視界が妨げられる欠陥があった。帽子、又はヘルメットを着用すると前方視界はよく見えるがヘルメット帽子のつばが不透明であるため、頭上視野が遮断されて、交通信号灯、道路標識等が見えにくい欠陥があった。本発明ブラインド形格子つば付雨合羽本体を着用した場合、ブラインド格子の隙間から、頭上視野が大きく、しかも透明で見える為、交通信号灯道路標識等が雨の中、上を向かず容易に確認することができるものである。又高層ビル建築工事で、クレーン作業を行う場合、頭上視野が大きく透明で見える為、安全に作業ができ、また作業監視も容易にできるものである。
【図面の簡単な説明】
【０００７】
【図１】三日月形つばブラインド格子切込み平面図
【図２】ブラインド形格子つば付フード斜視図
【図３】ブラインド形格子つば、視野拡大図
【発明を実施するための形態】
【０００８】三日月形樹脂帽子つば（１）に、ブラインド加工用切込み線（２）ブラインド加工用折曲げ線（３）を介して加工された、ブラインド形格子付つば（４）を、雨合羽フード顔面上部  （５）に接着した構造の、ブラインド形格子つば付雨合羽本体（６）を構成して使用時ブラインド格子隙間（７）から視野範囲拡大（８）が得られる為交通信号灯、道路標識等が雨の中でも容易に確認することができ、また暴風時にはフード結束バンド（９）を介しフードが安全に固定できるものである。
【実施例】
【０００９】ヘルメットを着用した上から、試作ブラインド形格子つば付雨合羽を着用して雨の降る中を自転車走行実験行った結果、ブラインド格子つばの隙間から、前方視界と頭上視野が透明で見えるため、交通信号灯、道路標識等が雨の降る中でも、上を向かず容易に確認することができた。本実施例で確認できたことは、ブラインド形格子つばの隙間から、頭上視野が大きく、しかも透明で見えたことである。
【産業上の利用可能性】
【００１０】自転車、バイク等を使用する営業マンには、ブラインド形つば付雨合羽着用が絶対必要と思われる。理由は雨天でも前方視野が透明ではつきり見えるため、交通安全上安心して走行できるものである。又、高層ビル建築クレーン作業者においても雨の中クレーンを操作する場合、頭上視野が広く透明で見える、ブラインド形格子つば付雨合羽着用は、安全上、絶対必要であると思われる。その他、自衛隊員及び警察隊員にも、頭上視野が広く透明で見えるブラインド形つば付雨合羽の着用は、防空警備、対空監視業務には絶対必要と思われる。
【符号の説明】
【００１１】１  三日月形樹脂帽子つば
２  ブラインド加工用切込み線
３  ブラインド加工用折り曲げ線
４  ブラインド形格子付つば
５  雨合羽フード顔面上部
６  ブラインド形格子つば付雨合羽本体
７  ブラインド格子隙間
８  視野範囲拡大
９  フード結束バンド
【図１】
2017214688.tif 000003
【図２】
2017214688.tif 000004
【図３】
2017214688.tif 000005